(57)【要約】【課題】背景画像に手描きデータなどを重畳して画像を表示・管理する携帯端末において、操作性のよい携帯端末を提供する。【解決手段】携帯端末では、ユーザから削除操作がなされたり（Ｓ１１１）、ノートやページの削除操作がなされたり（Ｓ１２１）すると、削除操作の対象とされた背景画像が入力画像に関連付けてメモリに記憶されているか否かを判定し、メモリに記憶されていないと判定されると、その背景画像をメモリから削除する（Ｓ１２３）。【選択図】図１０
2015022689.tif 000002
【特許請求の範囲】
【請求項１】
背景画像を記憶するためのメモリと、
前記背景画像に対する入力画像を受け付けるための画像入力手段と、
ディスプレイに、前記背景画像に前記入力画像を重畳して表示するための表示手段と、
前記メモリにおける前記背景画像の管理を行なうための管理手段とを備え、
前記管理手段は、
前記入力画像に前記背景画像を関連付けて前記メモリに記憶するための記憶手段と、
ユーザの削除操作の対象となり、かつ、予め規定された削除条件を満たす前記背景画像を前記メモリから削除するための削除手段とを含み、
前記削除手段は、前記削除条件として、前記削除操作の対象とされた前記背景画像が前記入力画像に関連付けて前記メモリに記憶されていないことを判定するための判定手段をさらに含む、携帯端末。
【請求項２】
前記判定手段は、前記メモリに前記背景画像と関連付けて記憶されている前記入力画像の削除、または前記メモリに記憶されている前記入力画像に関連付けられた前記背景画像の変更を指示するユーザ操作を受け付けた場合に、前記背景画像が前記削除操作の対象であると前記判定を行なう、請求項１に記載の携帯端末。
【請求項３】
前記入力画像の入力対象とする背景画像の選択を受け付けるために、前記メモリに記憶されている背景画像を選択可能に提示するための提示手段をさらに備え、
前記提示手段は、前記ディスプレイに表示される前記背景画像の選択画面において、前記削除操作の対象とされた背景画像の選択肢を前記削除操作の対象でない背景画像の選択肢よりも下位の位置で提示する、請求項１または２に記載の携帯端末。
【請求項４】
前記ディスプレイに背景画像として登録候補の画像を提示し、ユーザ操作によって選択された画像を前記メモリに背景画像として登録するための登録手段をさらに備え、
前記登録手段は、登録候補として前記削除操作の対象とされた背景画像を提示する、請求項１〜３のいずれかに記載の携帯端末。
【請求項５】
携帯端末における背景画像の管理方法であって、
前記背景画像に対する入力画像を受け付けるステップと、
前記入力画像に前記背景画像を関連付けて前記携帯端末のメモリに記憶するステップと、
ユーザの削除操作の対象とされた背景画像が前記入力画像に関連付けて前記メモリに記憶されているか否かを判定するステップと、
前記削除操作の対象とされた前記背景画像が前記入力画像に関連付けて前記メモリに記憶されていない場合に、前記背景画像を前記メモリから削除するステップとを備える、管理方法。
【発明の詳細な説明】
【技術分野】
【０００１】
この発明は携帯端末および管理方法に関し、特に、背景画像に手描きデータなどを重畳して画像を表示・管理する携帯端末および該携帯端末での管理方法に関する。
【背景技術】
【０００２】
携帯電話機やデジタルカメラや専用装置などの携帯端末での画像データの管理技術として、予め記憶している背景画像にユーザが手描きなど行なって得られた画像を重畳して表示、管理する技術がある。上記のような画像データの一例として、手描き可能な電子手帳が挙げられる。たとえば、特開２０１２−０３８０９３号公報（以下、特許文献１）は、背景画像を含んだ電子手帳用のテンプレートを開示している。
【０００３】
このような技術を利用して画像を作成する際に、ユーザは、背景画像を選択し、または、背景画像として用いる画像を予めデフォルトとして設定しておき、その背景画像の上に手描きなどの操作を行なう。
【先行技術文献】
【特許文献】
【０００４】
【特許文献１】特開２０１２−０３８０９３号公報
【発明の概要】
【発明が解決しようとする課題】
【０００５】
背景画像として選択可能な画像が多く提示されると、その中から用いる、またはデフォルトとして設定する背景画像を選択することが難しくなるという問題がある。特に、携帯端末のように、表示領域が制約された装置では、選択が難しくなる。たとえば、メモ帳などの用途で画像を生成する場合にはすぐに描き始めたいという要望にあるにも関わらず、多くの画像の中から背景画像を選択する作業が複雑になると、すぐに描き始めることができずに操作性を損なうことになる。
【０００６】
本発明はこのような問題に鑑みてなされたものであって、操作性のよい携帯端末および管理方法を提供することを目的としている。
【課題を解決するための手段】
【０００７】
上記目的を達成するために、本発明のある局面に従うと、携帯端末は、背景画像を記憶するためのメモリと、背景画像に対する入力画像を受け付けるための画像入力手段と、ディスプレイに、背景画像に入力画像を重畳して表示するための表示手段と、メモリにおける背景画像の管理を行なうための管理手段とを備え、管理手段は、入力画像に背景画像を関連付けてメモリに記憶するための記憶手段と、ユーザの削除操作の対象となり、かつ、予め規定された削除条件を満たす背景画像をメモリから削除するための削除手段とを含む。削除手段は、削除条件として、削除操作の対象とされた背景画像が入力画像に関連付けてメモリに記憶されていないことを判定するための判定手段をさらに含む。
【０００８】
好ましくは、判定手段は、メモリに背景画像と関連付けて記憶されている入力画像の削除、またはメモリに記憶されている入力画像に関連付けられた背景画像の変更を指示するユーザ操作を受け付けた場合に、その背景画像が削除操作の対象であると上記判定を行なう。
【０００９】
好ましくは、記憶手段は、それぞれ背景画像に関連付けられた複数の入力画像を１つのグループとしてメモリに記憶し、携帯端末は、グループに属する入力画像の入力対象とする背景画像を予め設定するための設定手段をさらに備え、判定手段は、削除条件として、削除操作の対象とされた背景画像が入力対象とする背景画像として予め設定されているグループがメモリに記憶されていないことをさらに判定する。
【００１０】
より好ましくは、判定手段は、予め背景画像が設定されてメモリに記憶されているグループの削除、またはメモリに記憶されているグループに対して予め設定されている背景画像の変更を指示するユーザ操作を受け付けた場合に、その背景画像が削除操作の対象であると上記判定を行なう。
【００１１】
好ましくは、携帯端末は、入力画像の入力対象とする背景画像の選択を受け付けるために、メモリに記憶されている背景画像を選択可能に提示するための提示手段をさらに備え、提示手段は、ディスプレイに表示される背景画像の選択画面において、削除操作の対象とされた背景画像の選択肢を削除操作の対象でない背景画像の選択肢よりも下位の位置で提示する。
【００１２】
好ましくは、携帯端末は、ディスプレイに背景画像として登録候補の画像を提示し、ユーザ操作によって選択された画像をメモリに背景画像として登録するための登録手段をさらに備え、登録手段は、登録候補として削除操作の対象とされた背景画像を提示する。
【００１３】
本発明の他の局面に従うと、管理方法は携帯端末における背景画像の管理方法であって、背景画像に対する入力画像を受け付けるステップと、入力画像に背景画像を関連付けて携帯端末のメモリに記憶するステップと、ユーザの削除操作の対象とされた背景画像が入力画像に関連付けてメモリに記憶されているか否かを判定するステップと、削除操作の対象とされた背景画像が入力画像に関連付けてメモリに記憶されていない場合に、その背景画像をメモリから削除するステップとを備える。
【００１４】
本発明のさらに他の局面に従うと、管理プログラムは携帯端末に背景画像の管理を実行させるためのプログラムであって、背景画像に対する入力画像を受け付けるステップと、入力画像に背景画像を関連付けて携帯端末のメモリに記憶するステップと、ユーザの削除操作の対象とされた背景画像が入力画像に関連付けてメモリに記憶されているか否かを判定するステップと、削除操作の対象とされた背景画像が入力画像に関連付けてメモリに記憶されていない場合に、その背景画像をメモリから削除するステップとを携帯端末に実行させる。
【発明の効果】
【００１５】
この発明によると、操作性のよい携帯端末を提供することができる。
【図面の簡単な説明】
【００１６】
【図１】実施の形態にかかる携帯端末の外観の具体例を示す図である。
【図２】携帯端末の装置構成の具体例を示すブロック図である。
【図３】ノートの一覧を表示する画面の一例を表わした図である。
【図４】図３の画面中の「ノート１」が選択（タッチ）されたときの表示の具体例を表わした図である。
【図５】背景画像の選択画面の具体例を示す図である。
【図６】携帯端末でのデータ管理の具体例を表わした図である。
【図７】携帯端末でのページ表示の概要を表わした図である。
【図８】削除する背景画像の選択画面の具体例を示す図である。
【図９】第１の実施の形態にかかる携帯端末の機能構成の具体例を示すブロック図である。
【図１０】携帯端末でのメインの動作の流れを表わしたフローチャートである。
【図１１】図１０のステップＳ１２３でのページを削除する場合の判定処理の流れを表わすフローチャートである。
【図１２】図１０のステップＳ１２３でのノートを削除する場合の判定処理を表わすフローチャートである。
【図１３】図１１のステップＳ２０７、図１２のステップＳ３０７での削除処理の流れを表わすフローチャートである。
【図１４】第２の実施の形態にかかる携帯端末の機能構成の具体例を示すブロック図である。
【図１５】携帯端末での背景画像登録処理の流れを表わしたフローチャートである。
【発明を実施するための形態】
【００１７】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１８】
＜装置構成＞
図１は、本実施の形態にかかる携帯端末１００の外観の具体例を示す図である。図１を参照して、携帯端末１００は、正面に当たる第１の面に配置された表示装置および入力装置であるタッチパネル１３を含む。タッチパネル１３は感圧式の液晶パネルであって、スタイラスペン２００などによるタッチ入力を受け付ける。また、携帯端末１００は、上記第１の面以外に配置された、電源ボタン１４と、ＵＳＢ（Universal  Serial  Bus）ケーブルなどの通信ケーブルを接続するための通信Ｉ／Ｆ（インタフェース）１５とを含む。また、携帯端末１００は、装置全体に電力を供給するための充電池１６を内蔵する。
【００１９】
図２は、携帯端末１００の装置構成の具体例を示すブロック図である。図２を参照して、携帯端末１００は、装置全体を制御するためのＣＰＵ（Central  Processing  Unit）と、ＣＰＵ１０で実行されるプログラムや後述する画像データなどを記憶するためのメモリであるＲＯＭ（Read  Only  Memory）１１と、ＣＰＵ１０でプログラムを実行するときの作業領域となるメモリであるＲＡＭ（Random  Access  Memory）１２と、感圧式の液晶パネルであるタッチパネル１３と、電源ＯＮ／ＯＦＦのユーザ指示を受け付けるための電源ボタン１４と、ＵＳＢケーブルなどの通信ケーブルを接続して外部装置や外部の記憶媒体との間の通信を行なうための通信Ｉ／Ｆ１５と、充電池１６とを含む。
【００２０】
［第１の実施の形態］
＜動作概要＞
携帯端末１００のＲＯＭ１１などのメモリには予め背景画像が記憶されており、ユーザは携帯端末１００を用いて、選択した背景画像に対して手描きの画像を入力可能である。そして、携帯端末１００は、入力された手描きの画像を入力画像として、背景画像に関連付けてＲＯＭ１１などのメモリに記憶する。携帯端末１００は、入力画像の１つを「ページ」と呼ばれる単位で管理する。さらに、携帯端末１００は、複数ページを１つのグループとして「ノート」と呼ばれる単位で管理する。
【００２１】
図３は、ノートの一覧を表示する画面の一例を表わした図である。携帯端末１００のＣＰＵ１０は、図示しないメニュー画面でノートの一覧を表示する指示を受け付けると、図３の画面を表示する。図３は、「ノート１」と「ノート２」との２つのノートがメモリに記憶されているときのノートの一覧画面の例を表わしている。
【００２２】
ユーザは、図３の画面においていずれかのノートを選択することで、当該「ノート」として管理されている各「ページ」をタッチパネル１３に表示させることができる。図４は、図３の画面中の「ノート１」が選択（タッチ）されたときの表示の具体例を表わした図である。一例として、「ノート１」は３ページを１つのグループとした入力画像群であって、図４（Ａ）の１ページ目、図４（Ｂ）の２ページ目、および図４（Ｃ）の３ページ目のうちのいずれかのページが、各ページの情報に表示されているページを指定するボタンで指定されることによって表示される。なお、ノートが選択されたときに最初に表示されるページは、当該ノートの最初のページであってもよいし、最終のページであってもよいし、直前に当該ノートを選択した際の最終表示ページであってもよい。
【００２３】
図４は、１つのノートの各ページの背景画像が異なる場合の例を示している。すなわち、図４（Ａ）の１ページ目にはカレンダーの背景画像が用いられ、図４（Ｂ）の２ページ目にはチェック欄付きの横罫線入りの背景画像が用いられ、図４（Ｃ）の３ページ目には細い罫線入りの背景画像が用いられている。
【００２４】
ユーザは、ページを作成する際に、まず背景画像を選択する。図５は、背景画像の選択画面の具体例を示す図である。携帯端末１００のＣＰＵ１０は、図示しないメニュー画面でページ作成の指示を受け付けると、図５の画面を表示してそのページの背景画像の選択を受け付ける。
【００２５】
携帯端末１００のＣＰＵ１０は、図５の画面で背景画像の選択（タッチ）を受け付けると、その背景画像をタッチパネル１３に表示させながら手描き画像の入力を受け付ける。携帯端末１００のＣＰＵ１０は、選択された背景画像に入力された手描き画像を重畳してタッチパネル１３に表示する。そして、図示しないメモリボタンが操作（タッチ）されると、そのときの手描き画像を入力画像として、背景画像と関連付けてメモリに記憶する。
【００２６】
好ましくは、携帯端末１００のＣＰＵ１０は、ノートごとに当該ノートに属する入力画像の入力対象とする背景画像を予めデフォルト設定しておく。ユーザは、新規ページを属せるノートを選択（新規に作成）すると、携帯端末１００のＣＰＵ１０は、そのノートに対してデフォルト設定されている背景画像を読み出してタッチパネル１３に表示させながら手描き画像の入力を受け付ける。または、図３の画面においていずれかのノートが選択され、図４（Ｃ）のように最終ページが表示された状態で次ページを作成する指示を受け付けると、携帯端末１００のＣＰＵ１０は、そのノートに対してデフォルト設定されている背景画像を読み出して「次ページ」の背景画像とし、そのページの手描き画像の入力を受け付ける。
【００２７】
好ましくは、ノートにデフォルト設定された背景画像は、ページごとに変更可能である。ページの背景の変更を受け付ける際、携帯端末１００のＣＰＵ１０は、図５の画面を表示してそのページの背景画像の選択を受け付け、そのページの背景画像に設定する。図４は、「ノート１」のページ１〜ページ３に対してそれぞれ異なる背景画像が設定されている例を示している。
【００２８】
図６は、携帯端末１００でのデータ管理の具体例を表わした図である。詳しくは、携帯端末１００は、ページの管理情報（ページ管理情報）として、ページごとに、当該ページの識別情報（ページＮＯ）、当該ページの属するノートの識別情報（ノートＮＯ）、当該ページに関連付けられた背景画像の識別情報（背景ＮＯ）、および該当する入力画像のメモリでの格納場所（パス）（手描き画像位置）を記憶している（図６（Ａ））。さらに、携帯端末１００は、背景画像の管理情報（背景管理情報）として、背景画像ごとに、当該背景画像の識別情報（背景ＮＯ）、当該背景画像のメモリからの削除の可否（削除可否）、後述するステータス、および当該背景画像のメモリでの格納場所（パス）（背景画像位置）を記憶している（図６（Ｂ））。さらに、携帯端末１００は、ノートの管理情報（ノート管理情報）として、ノートごとに、当該ノートの識別情報（ノートＮＯ）、および当該ノートにデフォルト設定されている背景画像の識別情報（デフォルト背景ＮＯ）を記憶している（図６（Ｃ））。
【００２９】
図７は、携帯端末１００でのページ表示の概要を表わした図である。図７を参照して、携帯端末１００のＣＰＵ１０は、指定されたページを表示する際に、該当するページについてのページ管理情報を参照して、そこに記載されているパスで表わされたメモリ上の位置から入力画像を読み出して手描き画像（入力画像）用のレイヤに描画する。また、携帯端末１００のＣＰＵ１０は、ページ管理情報に記載された背景ＮＯに該当する背景画像を、背景管理情報を参照して、そこに記載されているパスで表わされたメモリ上の位置から読み出して背景画像用のレイヤに描画する。そして、携帯端末１００のＣＰＵ１０は、これら２つのレイヤの描画を重ね合わせてタッチパネル１３に表示することで、背景画像に入力画像を重畳して表示する。
【００３０】
また、携帯端末１００のＣＰＵ１０は、新規のページを作成する際に、選択されたノートについてのノート管理情報を参照して当該ノートに対してデフォルト設定されている背景画像を、背景管理情報を参照して、そこに記載されているパスで表わされたメモリ上の位置から読み出して背景画像用のレイヤに描画する。携帯端末１００のＣＰＵ１０は、タッチパネル１３に背景画像用のレイヤへの描画を表示しつつ、タッチパネル１３に対するタッチに基づいて手描き画像の入力を受け付けて、入力画像を手描き画像（入力画像）用のレイヤに描画する。そして、携帯端末１００のＣＰＵ１０は、これら２つのレイヤの描画を重ね合わせてタッチパネル１３に表示することで、背景画像に入力画像を重畳して表示する。
【００３１】
ユーザは、携帯端末１００のメモリに記憶されている背景画像を削除することができる。図８は、削除する背景画像の選択画面の具体例を示す図である。携帯端末１００のＣＰＵ１０は、図示しないメニュー画面で背景画像の削除の指示を受け付けると、図８の画面を表示して削除する背景画像の選択を受け付ける。携帯端末１００のＣＰＵ１０は、図８の画面で、削除可能な背景画像の選択肢を提示する。このとき、ＣＰＵ１０は、メモリに記憶されているすべての背景画像を管理する情報である背景管理情報を参照して、メモリからの削除が許可されており、かつ、第１のステータスである背景画像を読み出して、その選択肢を提示する。図８は、図６（Ｂ）の背景管理情報を参照した場合の選択画面の具体例を示している。すなわち、図８を参照して、この場合、ＣＰＵ１０は、背景ＮＯ３の背景画像を削除可能な背景画像の選択肢として提示する。
【００３２】
背景画像のステータスとは、当該背景画像がメモリから削除する候補であるか否かという状態を表わす情報であって、第１のステータスは削除候補となっていない状態、第２のステータスは削除候補となっている状態を表わしている。以下の例では、図６（Ｂ）に示されたように、管理情報にステータスに関する情報が書き込まれることで当該背景画像のステータスが管理されるものとする。他の例として、削除候補であるか否かが、当該背景画像の管理情報に削除候補であることを表わすフラグを立てることで表わされてもよいし、削除候補の背景画像のデータがそうでない背景画像のデータとは異なる記憶領域に移されてもよい。
【００３３】
一例として、携帯端末１００のＣＰＵ１０は、第１のステータスである背景画像は入力画像の入力対象とする背景画像に選択される可能性を高くして提示し、第２のステータスである背景画像は選択不可能、または選択される可能性を低くして提示する。すなわち、携帯端末１００のＣＰＵ１０は、第２のステータスの背景画像の方を第１のステータスの背景画像よりも下位の位置で提示する。たとえば、図５の画面を表示して新規のページの背景画像の選択を受け付けたり、ノートに対する背景画像のデフォルト設定を受け付けたり、対象のページについてデフォルト設定された背景画像の変更を受け付けたりする際に、携帯端末１００のＣＰＵ１０は、選択肢として第１のステータスである背景画像を提示して第２のステータスである背景画像は提示しない。または、携帯端末１００のＣＰＵ１０は、第１のステータスである背景画像の選択肢から順に提示し、第２のステータスである背景画像の選択肢を下位（たとえば最終ページ等）に提示してもよい。
【００３４】
携帯端末１００のＣＰＵ１０は図８の画面において削除する背景画像が選択されると、選択された背景画像のステータスを第１のステータスから削除候補である第２のステータスに移行する。そして、ＣＰＵ１０は、第２のステータスの背景画像が予め規定された削除条件を満たす場合に、メモリから削除する。すなわち、ＣＰＵ１０は、ユーザの削除操作の対象となり、かつ、削除条件を満たす背景画像をメモリから削除する。上記の削除条件として、少なくとも、その背景画像が入力画像に関連付けてメモリに記憶されていないことが挙げられる。すなわち、ＣＰＵ１０は、図６（Ａ）のページ管理情報を参照して、いずれのページについても第２のステータスの背景画像の識別情報が背景ＮＯに記載されていないと判定すると、その背景画像を削除する。
【００３５】
好ましくは、上記の削除条件として、さらに、その背景画像が背景画像としてデフォルト設定されたノートがメモリに記憶されていないことが挙げられる。すなわち、ＣＰＵ１０は、さらに、図６（Ｃ）のノート管理情報を参照して、いずれのノートついても第２のステータスの背景画像の識別情報にデフォルト背景ＮＯが記載されていないと判定すると、その背景画像を削除する。
【００３６】
＜機能構成＞
図９は、上記動作を行なうための携帯端末１００の機能構成の具体例を示すブロック図である。図９の各機能は、携帯端末１００のＣＰＵ１０がＲＯＭ１１に記憶されているプログラムをＲＡＭ１２に読み出して実行することで、主にＣＰＵ１０で実現される。しかしながら、少なくとも一部機能が、図２に示された他の構成、または図示されていない電気回路などの他のハードウェア構成によって実現されてもよい。
【００３７】
図９を参照して、ＲＯＭ１１などのメモリは、背景画像を記憶するための記憶領域である背景画像記憶部１１１と、上述のページ管理情報、背景管理情報、およびノート管理情報である管理情報を記憶するための記憶領域である管理情報記憶部１１２とを含む。
【００３８】
さらに図９を参照して、ＣＰＵ１０は、タッチパネル１３へのユーザ操作に基づく指示入力を受け付けるための指示入力部１０１と、タッチパネル１３へのユーザ操作に基づく手描き画像の入力を入力画像として受け付けるための画像入力部１０２と、指定された背景画像を背景画像レイヤに描画し、また、入力画像を手描き画像レイヤに描画し、それらを重畳してタッチパネル１３に表示する処理を行なうための表示処理部１０３と、メモリにおける背景画像等の管理を行なうための管理部１０４とを含む。管理部１０４は、入力画像に背景画像を関連付けてページ管理情報としてメモリに記憶するための記憶部１０５と、背景画像のステータスを管理するためのステータス管理部１０６と、メモリ（背景画像記憶部１１１）に記憶されている背景画像を削除する処理を行なうための削除部１０７とを含み、削除部１０７は、さらに、第２のステータスの背景画像が、少なくとも、入力画像に関連付けてメモリに記憶されていないという削除条件を満たすことを判定するための判定部１０８を含む。判定部１０８は、所定のユーザ操作がなされたときに削除条件を満たすことの判定を行ない、削除条件を満たすと判定されると、削除部１０７が該当する背景画像をメモリから削除する。
【００３９】
＜動作フロー＞
図１０は、携帯端末１００でのメインの動作の流れを表わしたフローチャートである。図１０のフローチャートに表わされた動作は、携帯端末１００のＣＰＵ１０がＲＯＭ１１に記憶されているプログラムをＲＡＭ１２上に読み出して実行し、図９の各機能を発揮することによって実現される。図１０の動作は、たとえば、携帯端末１００の電源ボタン１４が操作されて電源が投入されたタイミングなどに実行される。
【００４０】
図１０を参照して、ＣＰＵ１０は、動作を開始すると図示しないメニュー画面をタッチパネル１３に表示し（ステップＳ１０１）、ユーザ操作を待機する。ユーザ操作がメモリに記憶されているノートを指定し、当該ノートに属するページの表示を指示するものであった場合（ステップＳ１０３でＹＥＳ）、ＣＰＵ１０は、対象のページを表示する（ステップＳ１０５）。ここでは、図７に表わされたように、ＣＰＵ１０は、対象のページのページ管理情報から背景画像ＮＯを読み出して背景管理情報を参照して背景画像を背景画像レイヤに描画し、ページ管理情報から特定されたメモリ上の位置に記憶されている入力画像を読み出して手描き画像レイヤに描画することで、これらを重畳してタッチパネル１３に表示する。
【００４１】
さらに、新規ページの作成が指示されると（ステップＳ１０７でＹＥＳ）、ＣＰＵ１０は、ページを作成する処理を実行する（ステップＳ１０９）。ここでは、ＣＰＵ１０は、当該ノートのノート管理情報からデフォルト背景ＮＯを読み出してデフォルト設定されている背景画像をタッチパネル１３に表示し、当該背景画像に対する手描き画像の入力を入力画像として受け付ける。または、このとき、ＣＰＵ１０は、デフォルト設定された背景画像の変更を受け付けた上で、入力画像を受け付けてもよい。
【００４２】
以上の一連のページ表示に関する処理（およびページ作成に関する処理）が終了すると、ＣＰＵ１０は、動作を最初に戻し、メニュー画面をタッチパネル１３に表示して（ステップＳ１０１）ユーザ操作の入力を待機する。
【００４３】
ユーザ操作がメモリに記憶されている背景画像の削除を指示するものであった場合（ステップＳ１０３でＮＯ、かつステップＳ１１１でＹＥＳ）、ＣＰＵ１０は、削除対象の背景画像の選択を受け付けるための、図８の選択画面をタッチパネル１３に表示して（ステップＳ１１３）、ユーザ操作による選択を待機する。ここでは、ＣＰＵ１０は、背景管理情報から削除可能であり、かつ、第１のステータスである背景画像を検索して、選択可能に提示する。そして、削除対象の背景画像が選択されると（ステップＳ１１５でＹＥＳ）、ＣＰＵ１０は、当該背景画像のステータスを第１のステータスから第２のステータスに移行し（ステップＳ１１７）、当該背景画像の背景管理情報を更新する。続いて、ＣＰＵ１０は、背景画像の削除のための判定処理および削除処理（ステップＳ１２３）を実行する。
【００４４】
以上の一連の背景画像の削除指示に関する処理が終了すると、ＣＰＵ１０は、動作を最初に戻し、メニュー画面をタッチパネル１３に表示して（ステップＳ１０１）ユーザ操作の入力を待機する。
【００４５】
ユーザ操作がメモリに記憶されているノートまたはページの削除を指示するものであった場合（ステップＳ１０３でＮＯ、ステップＳ１１１でＮＯ、かつステップＳ１１９でＹＥＳ）、ＣＰＵ１０は、指示されたノートまたはページをメモリから削除し、該当する管理情報を更新する（ステップＳ１２１）。そして、ＣＰＵ１０は、背景画像の削除のための判定処理および削除処理（ステップＳ１２３）を実行する。なお、上記の、メモリに記憶されているノートの削除操作には、当該ノートに対してデフォルト設定されている背景画像の変更操作が含まれる。また、メモリに記憶されているページの削除操作には、当該ページに対して設定されている背景画像の変更操作が含まれる。すなわち、ユーザが、これらの背景画像を変更する操作を行なうと、ＣＰＵ１０は、指示されたノートまたはページに設定された背景画像を変更するようノート管理情報やページ管理情報を更新し、この場合にも、背景画像の削除のための判定処理および削除処理（ステップＳ１２３）を実行する。
【００４６】
以上の一連のノートまたはページの削除指示に関する処理が終了すると、ＣＰＵ１０は、動作を最初に戻し、メニュー画面をタッチパネル１３に表示して（ステップＳ１０１）ユーザ操作の入力を待機する。
【００４７】
図１１および図１２は、ステップＳ１２３の背景画像の削除のための判定処理の流れを表わすフローチャートであって、図１１がページを削除する場合の判定処理、図１２がノートを削除する場合の判定処理を表わしている。
【００４８】
図１１を参照して、ＣＰＵ１０は、はじめに、ページ管理情報から削除対象のページの背景ＮＯ、すなわち、削除対象のページに設定されている背景画像を読み取る（ステップＳ２０１）。そして、ＣＰＵ１０は、上記背景ＮＯに該当する背景画像についての背景管理情報から、当該背景画像のステータスを読み取る（ステップＳ２０３）。上記背景画像のステータスが第２のステータスである場合に（ステップＳ２０５でＹＥＳ）、ＣＰＵ１０は当該背景画像の削除処理（ステップＳ２０７）を実行し、そうでない場合には（ステップＳ２０５でＮＯ）、削除処理を実行しない。
【００４９】
同様に、図１２を参照して、ノートを削除する場合、ＣＰＵ１０は、はじめに、ノート管理情報から削除対象のノートのデフォルト背景ＮＯ、すなわち、削除対象のノートに対してデフォルト設定されている背景画像を読み取る（ステップＳ３０１）。そして、ＣＰＵ１０は、上記背景ＮＯに該当する背景画像についての背景管理情報から、当該背景画像のステータスを読み取る（ステップＳ３０３）。上記背景画像のステータスが第２のステータスである場合に（ステップＳ３０５でＹＥＳ）、ＣＰＵ１０は当該背景画像の削除処理（ステップＳ３０７）を実行し、そうでない場合には（ステップＳ３０５でＮＯ）、削除処理を実行しない。
【００５０】
図１３は、上記ステップＳ２０７，Ｓ３０７での削除処理の流れを表わすフローチャートである。図１３を参照して、ＣＰＵ１０は、はじめに、メモリに記憶されているページ管理情報の中から、背景ＮＯに削除対象の背景画像の背景ＮＯが記載されているページ管理情報を検索する（ステップＳ４０１）。すなわち、メモリから、削除対象の背景画像を背景画像として設定しているページを検索する。
【００５１】
上記ステップＳ４０１の検索の結果、該当するページ管理情報があった場合、つまり、削除対象の背景画像を背景画像として設定しているページがメモリに記憶されている場合には（ステップＳ４０３でＹＥＳ）、ＣＰＵ１０は、削除条件を満たさないものとして、以降の削除処理を行なわない。この場合、当該背景画像は、ステータスが第２のステータスのままで、メモリには依然として記憶されたままとなる。
【００５２】
一方、上記のページ管理情報がなかった場合、つまり、削除対象の背景画像を背景画像として設定しているページがメモリに記憶されていなかった場合には（ステップＳ４０３でＮＯ）、ＣＰＵ１０は、さらに、メモリに記憶されているノート管理情報の中から、デフォルト背景ＮＯに削除対象の背景画像の背景ＮＯが記載されているノート管理情報を検索する（ステップＳ４０５）。すなわち、メモリから、削除対象の背景画像を背景画像にデフォルト設定しているノートを検索する。
【００５３】
上記ステップＳ４０５の検索の結果、該当するノート管理情報があった場合、つまり、削除対象の背景画像を背景画像としてデフォルト設定しているノートがメモリに記憶されている場合には（ステップＳ４０７でＹＥＳ）、ＣＰＵ１０は、削除条件を満たさないものとして、以降の削除処理を行なわない。この場合も、当該背景画像は、ステータスが第２のステータスのままで、メモリには依然として記憶されたままとなる。
【００５４】
一方、上記のノート管理情報がなかった場合、つまり、削除対象の背景画像を背景画像として設定しているページも背景画像としてデフォルト設定しているノートもメモリに記憶されていなかった場合には（ステップＳ４０７でＮＯ）、ＣＰＵ１０は、当該背景画像をメモリから削除する。この場合、当該背景画像はメモリから削除されて、当該背景画像に関する情報もまた図６（Ｂ）の背景管理情報から削除される。
【００５５】
＜第１の実施の形態の効果＞
第１の実施の形態にかかる携帯端末１００が以上の動作を行なうことで、背景画像の削除の指示をユーザから受け付けた場合であっても、当該背景画像がすでに記憶されているページやノートで用いられている場合には、完全にメモリから削除することがない。これによって、削除操作の後にこれらページやノートを表示する場合に、背景画像が表示されない、という不具合を防止することができ、使い勝手を向上させることができる。
【００５６】
さらに、この場合、携帯端末１００では削除操作された背景画像の、新規に入力画像に対する関連付けの優先度を低くする。そのため、図５のような背景画像の選択画面を提示して選択を受け付ける際に、削除操作された背景画像は、選択画面に表示されなかったり、後方のページに表示されたりすることになる。携帯端末１００は携帯可能なサイズであるためにタッチパネル１３の表示面積が限られているため、このように削除操作された背景画像の表示が制御されることで、操作性を向上させることができる。
【００５７】
［第２の実施の形態］
＜動作概要＞
携帯端末１００では、画像を通信Ｉ／Ｆ１５を介して他の装置や記録媒体から取得し、ＲＯＭ１１などのメモリに記憶させることで、新たに使用可能な背景画像として登録することができる。携帯端末１００のＣＰＵ１０は、図５のような選択画面を表示して取得した画像を選択可能に提示し、背景画像として登録する画像の選択を受け付ける。そして、選択された画像を背景画像としてメモリに登録する。このとき、携帯端末１００のＣＰＵ１０は背景管理情報を参照して第２のステータスの背景画像を抽出し、当該背景画像も選択可能に提示し、選択を受け付ける。好ましくは、第２の実施の形態にかかる携帯端末１００のＣＰＵ１０は、図５の選択画面を表示する際に、第２のステータスの背景画像をそうでない画像とは異なる態様で提示する。たとえば、ＣＰＵ１０は、第２のステータスの背景画像に枠を付加して提示する。このようにすることで、ユーザは、選択画面において他の装置などから取得された画像といったん削除操作した背景画像とを区別することができる。
【００５８】
＜機能構成＞
図１４は、上記動作を行なうための携帯端末１００の機能構成の具体例を示すブロック図である。図１４の各機能もまた、携帯端末１００のＣＰＵ１０がＲＯＭ１１に記憶されているプログラムをＲＡＭ１２に読み出して実行することで、主にＣＰＵ１０で実現される。しかしながら、少なくとも一部機能が、図２に示された他の構成、または図示されていない電気回路などの他のハードウェア構成によって実現されてもよい。
【００５９】
図１４を参照して、ＣＰＵ１０は、タッチパネル１３へのユーザ操作に基づく指示入力を受け付けるための指示入力部１０１と、通信Ｉ／Ｆ１５を介して画像の入力を受け付けるための画像入力部１０９と、選択画面に背景画像として選択可能に画像を提示する処理を行なうための提示処理部１１０と、ユーザからの選択操作に従って選択された画像を背景画像として背景画像記憶部１１１に登録するための登録部１１３とを含む。提示処理部１１０は、さらに、背景管理情報を参照して、第２のステータスの背景画像を抽出するための抽出部１１４を含み、提示処理部１１０は、通信Ｉ／Ｆ１５を介して入力された画像と共に抽出された第２のステータスの背景画像も選択可能に提示する。
【００６０】
＜動作フロー＞
図１５は、携帯端末１００での背景画像登録処理の流れを表わしたフローチャートである。図１５のフローチャートに表わされた動作は、携帯端末１００のＣＰＵ１０がＲＯＭ１１に記憶されているプログラムをＲＡＭ１２上に読み出して実行し、図１４の各機能を発揮することによって実現される。図１５の動作は、たとえば、通信Ｉ／Ｆ１５を介して新たな画像が入力されたタイミングや、ユーザが図示しないメニュー画面から背景画像の登録操作を指示したタイミングなどに実行される。
【００６１】
図１５を参照して、はじめに、ＣＰＵ１０は、メモリに用意された通信Ｉ／Ｆ１５を介して入力された画像を保持しておく領域から記憶されている画像の情報を取得する。（ステップＳ５０１）。さらに、ＣＰＵ１０は、背景管理情報から第２のステータスである背景画像を検索する（ステップＳ５０３）。上記ステップＳ５０３での検索の結果、第２のステータスである背景画像が抽出されると（ステップＳ５０５でＹＥＳ）、ＣＰＵ１０は、該当する背景画像の情報を取得する（ステップＳ５０７）。
【００６２】
ＣＰＵ１０は、背景画像の候補を選択画面に提示する処理を行なう（ステップＳ５０９）。このとき、上記ステップＳ５０７で第２のステータスの背景画像の情報を取得していると、ＣＰＵ１０は、入力された画像と共に第２のステータスの背景画像も選択可能に提示する。好ましくは、ＣＰＵ１０は、第２のステータスの背景画像に枠を付加するなど、入力された画像とはことなる態様で提示する。
【００６３】
提示された画像の中から背景画像とする画像が選択され（ステップＳ５１１でＹＥＳ）、さらに、その画像が第２のステータスの背景画像である場合（ステップＳ５１３でＹＥＳ）、ＣＰＵ１０は、当該背景画像のステータスを第２のステータスから第１のステータスに移行し、背景管理情報を更新する（ステップＳ５１５）。第２のステータスの背景画像が選択されていないときには（ステップＳ５１３でＮＯ）、ＣＰＵ１０は、当該背景画像の実態データをメモリの所定の領域に記憶させるなどの登録処理を実行し（ステップＳ５１７）、さらに背景管理情報を登録する（ステップＳ５１９）。そして、ＣＰＵ１０は、一連の動作を終了する。
【００６４】
＜第２の実施の形態の効果＞
第２の実施の形態にかかる携帯端末１００が以上の動作を行なうことで、ユーザによっていったん削除操作の対象とされた背景画像であっても第２のステータスの状態でメモリに保持されていれば、他の背景画像と同様の操作で再登録することが可能となる。そのため、当該背景画像がすでに他の装置などから取得することができない場合であっても容易に再利用することが可能となり、ユーザの利便性を向上させることができる。
【００６５】
さらに、いったん削除操作の対象とされた背景画像に枠が付加されるなど、他の装置などから取得された画像から特別して提示されることで、ユーザは、同じ画像を選択する際には削除操作の対象とした背景画像を選択することができる。これにより、メモリに同じ画像が重複して保存されることを回避でき、メモリの有効利用につながる。
【００６６】
［第３の実施の形態］
なお、以上の例では、携帯端末１００がページ単位でもノート単位でも背景画像の削除や変更が可能であるものとしているが、ノート単位でのみ背景画像の削除や変更が可能であるものや、ページ単位でのみ背景画像の削除や変更が可能であるものもこの例に含まれ得る。この場合も、携帯端末１００は同様の処理を行なって、背景画像の管理を行なう。
【００６７】
［第４の実施の形態］
さらに、上述の動作を携帯端末１００のＣＰＵ１０に実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７０】
提供されるプログラム製品は、ハードディスクなどのプログラム格納部にインストールされて実行される。なお、プログラム製品は、プログラム自体と、プログラムが記録された記録媒体とを含む。
【００７１】
このようにプログラムが提供されることで、入力画像を記憶、管理する既存の携帯端末１００に対して上記の動作を実行させることができるようになる。これにより、既存の携帯端末１００の操作性を向上させることができる。
【００７２】
＜まとめ＞
本発明の局面は、次のように表わすことができる。
【００７３】
（１）
背景画像を記憶するためのメモリ（背景画像記憶部１１１）と、背景画像に対する入力画像を受け付けるための画像入力手段（画像入力部１０２）と、ディスプレイに、背景画像に入力画像を重畳して表示するための表示手段（表示処理部１０３）と、メモリにおける背景画像の管理を行なうための管理手段（管理部１０４）とを備え、管理手段は、入力画像に背景画像を関連付けてメモリに記憶するための記憶手段（記憶部１０５）と、ユーザの削除操作の対象となり、かつ、予め規定された削除条件を満たす背景画像をメモリから削除するための削除手段（削除部１０７）とを含み、削除手段は、削除条件として、削除操作の対象とされた背景画像が入力画像に関連付けてメモリに記憶されていないことを判定するための判定手段（判定部１０８）をさらに含む、携帯端末。
【００７４】
（２）
判定手段は、メモリに背景画像と関連付けて記憶されている入力画像の削除、またはメモリに記憶されている入力画像に関連付けられた背景画像の変更を指示するユーザ操作を受け付けた場合に、背景画像が削除操作の対象であると判定を行なう、（１）に記載の携帯端末。
【００７５】
（３）
記憶手段は、それぞれ背景画像に関連付けられた複数の入力画像を１つのグループ（ノート）としてメモリに記憶し、グループに属する入力画像の入力対象とする背景画像を予め設定するための設定手段（デフォルト設定）をさらに備え、判定手段は、削除条件として、削除操作の対象とされた背景画像が入力対象とする背景画像として予め設定されているグループがメモリに記憶されていないことをさらに判定する、（１）または（２）に記載の携帯端末。
【００７６】
（４）
判定手段は、予め背景画像が設定されてメモリに記憶されているグループの削除、またはメモリに記憶されているグループに対して予め設定されている背景画像の変更を指示するユーザ操作を受け付けた場合に、背景画像が削除操作の対象であると判定を行なう、（３）に記載の携帯端末。
【００７７】
（５）
入力画像の入力対象とする背景画像の選択を受け付けるために、メモリに記憶されている背景画像を選択可能に提示するための提示手段（提示処理部１１０）をさらに備え、提示手段は、ディスプレイに表示される背景画像の選択画面において、削除操作の対象とされた背景画像の選択肢を削除操作の対象でない背景画像の選択肢よりも下位の位置で提示する、（１）〜（４）のいずれかに記載の携帯端末。
【００７８】
（６）
ディスプレイに背景画像として登録候補の画像を提示し、ユーザ操作によって選択された画像をメモリに背景画像として登録するための登録手段（登録部１１３）をさらに備え、登録手段は、登録候補として削除操作の対象とされた背景画像を提示する、（１）〜（５）のいずれかに記載の携帯端末。
【００７９】
（７）
携帯端末における背景画像の管理方法であって、背景画像に対する入力画像を受け付けるステップ（Ｓ１０９）と、入力画像に背景画像を関連付けて携帯端末のメモリに記憶するステップ（Ｓ１０９）と、ユーザの削除操作の対象とされた背景画像が入力画像に関連付けてメモリに記憶されているか否かを判定するステップ（Ｓ４０３）と、削除操作の対象とされた背景画像が入力画像に関連付けてメモリに記憶されていない場合に、その背景画像をメモリから削除するステップ（Ｓ４０９）とを備える、管理方法。
【００８０】
（８）
携帯端末に背景画像の管理を実行させるためのプログラムであって、背景画像に対する入力画像を受け付けるステップ（Ｓ１０９）と、入力画像に背景画像を関連付けて携帯端末のメモリに記憶するステップ（Ｓ１０９）と、ユーザの削除操作の対象とされた背景画像が入力画像に関連付けてメモリに記憶されているか否かを判定するステップ（Ｓ４０３）と、削除操作の対象とされた背景画像が入力画像に関連付けてメモリに記憶されていない場合に、その背景画像をメモリから削除するステップ（Ｓ４０９）とを携帯端末に実行させる、管理プログラム。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１０  ＣＰＵ、１１  ＲＯＭ、１２  ＲＡＭ、１３  タッチパネル、１４  電源ボタン、１５  通信Ｉ／Ｆ、１６  充電池、１００  携帯端末、１０１  指示入力部、１０２，１０９  画像入力部、１０３  表示処理部、１０４  管理部、１０５  記憶部、１０６  ステータス管理部、１０７  削除部、１０８  判定部、１１０  提示処理部、１１１  背景画像記憶部、１１２  管理情報記憶部、１１３  登録部、１１４  抽出部、２００  スタイラスペン。
【図１】
2015022689.tif 000003
【図２】
2015022689.tif 000004
【図３】
2015022689.tif 000005
【図４】
2015022689.tif 000006
【図５】
2015022689.tif 000007
【図６】
2015022689.tif 000008
【図７】
2015022689.tif 000009
【図８】
2015022689.tif 000010
【図９】
2015022689.tif 000011
【図１０】
2015022689.tif 000012
【図１１】
2015022689.tif 000013
【図１２】
2015022689.tif 000014
【図１３】
2015022689.tif 000015
【図１４】
2015022689.tif 000016
【図１５】
2015022689.tif 000017